(57)【要約】【課題】折り畳み式携帯電話機において、部品点数を増加せず、実装スペースを拡大せずに、装置の開閉の状況に関係なく操作できるスイッチ等の機能部品を設ける。【解決手段】主筐体部２と副筐体部３との間に設けた１対の軸受機構４の間のスペースに、回転スイッチ５等の機能部品を搭載する。【選択図】　　　図８
2004147279.tif 000002
【特許請求の範囲】
【請求項１】
主筐体部と副筐体部とが互いに開閉可能に接続部により結合されてなる折り畳み式電子機器において、前記接続部に機能部品を搭載し、装置の開状態及び閉状態に関係なく、該機能部品を操作可能にしたことを特徴とする、折り畳み式電子機器。
【請求項２】
前記機能部品は、接続部の回転軸と同軸に搭載されていることを特徴とする請求項１に記載の折り畳み式電子機器。
【請求項３】
接続部は、主筐体部及び副筐体部のいずれか一方に間隔を置いて同軸に設けられた１対の軸受と、他方に間隔を置いて同軸に設けられ且つ前記軸受にそれぞれ嵌合する１対の軸部材とを具備する１対の軸受機構からなり、前記機能部品は、これらの１対の軸受機構間に搭載されていることを特徴とする請求項２に記載の折り畳み式電子機器。
【請求項４】
１対の軸受は、主筐体部及び副筐体部のいずれか一方のシャーシ部に形成され、１対の軸部材は、主筐体部及び副筐体部の他方のシャーシ部に形成された円筒部に固定された１対のヒンジピンで有り、各ヒンジピンは軸方向に大径部と小径部とが一体的に構成されたもので、大径部が前記円筒部に圧入・固定され、小径部が前記軸受に嵌合することを特徴とする請求項３に記載の折り畳み式電子機器。
【請求項５】
前記機能部品は、前記１対の軸受機構間にて、主筐体部及び副筐体部のいずれか一方に間隔を置いて設けられた１対の軸受に回転可能に支持されていることを特徴とする請求項３に記載の折り畳み式電子機器。
【請求項６】
前記機能部品は、前記１対の軸受機構間にて、主筐体部及び副筐体部のいずれか一方に間隔を置いて設けられた１対の軸受に軸方向に移動可能に支持されていることを特徴とする請求項３に記載の折り畳み式電子機器。
【請求項７】
前記機能部品は、軸方向の中央部に大径部を有し、両端に小径部を有する構造体であって、両端の小径部が前記１対の軸受に嵌合することを特徴とする請求項６に記載の折り畳み式電子機器。
【請求項８】
前記機能部品は、前記１対の軸受部材に少なくとも一定の角度範囲内で回転可能に支持されている回転スイッチであることを特徴とする請求項４に記載の折り畳み式電子機器。
【請求項９】
前記機能部品は、前記１対の軸受部材に少なくとも一定の角度範囲内で回転可能に支持されている回転体と、主筐体部及び副筐体部のいずれか一方に該回転体に隣接して固定されている回転検出センサとで構成されていることを特徴とする請求項８に記載の折り畳み式電子機器。
【請求項１０】
前記機能部品は、前記１対の軸受部材に回転不能に、しかし所定の範囲で軸方向に移動可能に支持されていることを特徴とする請求項４に記載の折り畳み式電子機器。
【請求項１１】
前記機能部品は、前記１対の第２の軸受に少なくとも一定の角度範囲内で回転可能に、且つ所定の範囲で軸方向に移動可能に支持されていることを特徴とする請求項４に記載の折り畳み式電子機器。
【請求項１２】
前記機能部品は、スイッチ等の電気部品であることを特徴とする請求項１〜１０のいずれか１項に記載の折り畳み式電子機器。
【請求項１３】
前記機能部品は、通信手段であることを特徴とする請求項１〜１０のいずれか１項に記載の折り畳み式電子機器。
【請求項１４】
前記機能部品は、光学部品であることを特徴とする請求項１〜１０のいずれか１項に記載の折り畳み式電子機器。
【請求項１５】
前記機能部品は、音響部品であることを特徴とする請求項１〜１０のいずれか１項に記載の折り畳み式電子機器。
【発明の詳細な説明】
【０００１】
【発明の属する技術分野】
本発明は折り畳み式電子機器に関し、特にヒンジ（開閉機構）部を有する折り畳み式携帯電話機に関する。
【０００２】
折り畳み式携帯電話機は、主として操作部が設けられている第１の筐体部（主筐体部）と主として表示部が設けられている第２の筐体部（副筐体部）とがヒンジ部にて結合され、ヒンジ部を中心として互いに開閉動作させる構造であるため、使用に便利であり、年々著しく増加する傾向にある。折り畳み式携帯電話機の増加に伴い、装置を開いた状態であるか閉じた状態であるかに関係なく所定の目的をもった同一の機能を実現したいという要求がある。
【０００３】
【従来の技術】
従来、折り畳み式携帯電話機においては、装置が開状態であるか閉状態であるかに関係なく同一の機能を発揮させるために、装置の正面又は背面に個々にスイッチ等の機能部品を実装していた。このため同じ機能をもつスイッチ等が複数必要であった。これは、装置を開いた通常の使用状態では、装置の内側におけるボタン類やキー類と同じ操作面において操作するのが便利であるため、装置の内側に当該スイッチ等の機能部品を配置し、また装置を折り畳んだ非使用状態では装置の内側にある同じスイッチを使用できないため、装置の外側に同一機能を割り当てるスイッチ等を設ける必要があったからである。
【０００４】
また、従来の折り畳み式携帯電話機において、ヒンジ部の構造を改善したものとして、次の文献がある。
【０００５】
特開２００１−２０３７８６号公報に開示されている折り畳み型無線装置の着信時通話システムは、折り畳み型無線装置の操作性を改善するために、使用状態として設定した角度以上に筐体を開こうとする力がヒンジに加えられた場合に、このヒンジの開きを検出し、この検出に基づいて着信時の通話を開始するようにした制御部を有している。
【０００６】
また、特開平１−２１２０５２号公報に開示されている折り畳み式電話機は、少なくともダイヤルキー、受話器、通信回路網、フックスイッチを有する主筐体と、少なくとも送話器を有し、非通話時に上記主筐体に対して折り畳まれ、通話時に主筐体に対し一定の角度に展開されるように回動可能に連結されたフレームと、上記主筐体に上記通信回路網と接続状態に設けられ、互いの電気的な接断により上記送話器への電気的信号の接断を切替えるための複数個の接点と、上記フレームに設けられ、このフレーム展開状態で上記接点に接触し、電気的に接続する導電性接触片とを備えたものである。これによると、フレームを主筐体に対して通話のために所定の角度まで展開した時に送話器への電気的信号を接続し、展開するまでの間においては送話器への電気的信号を切断するので、フレームの展開の際に送話器が受話器の音声を拾うのを防止することができる。
【０００７】
更に、特開平８−９００５号公報に記載されている折りたたみ式携帯電話装置では、送話部と受話部との開閉にともなうヒンジ部の回転角を検出し、回転角に相当する制御信号を発生し、その制御信号に基づき、回転角の変化に起因する音量の変化およびノイズを抑圧するとともに、回転角の変化に起因するエコーパスの変化に追従してエコーを抑圧するようにしている。
【０００８】
【特許文献１】
特開２００１−２０３７８６号公報
【特許文献２】
特開平１−２１２０５２号公報
【特許文献３】
特開平８−９００５号公報
【０００９】
【発明が解決しようとする課題】
これらの従来技術はいずれも、折り畳み式携帯電話機の開状態であるか閉状態であるか、又は開閉角度を検出し、開閉状況に応じてスイッチが作動するように構成されている。しかしながら、ある種の特定の指示を装置へ入力しようとする際には折り畳み式携帯電話機の使用状態によっては、甚だ不便であった。
【００１０】
そこで、本発明は、折り畳み式携帯電話機において、装置の閉状態であるか開状態であるかの状況に関係なく、同一の機能を生じさせるために操作することのできる機能部品を具備する折り畳み式携帯電話機を提供することを目的とする。
【００１１】
また、本発明は、部品点数を増加することなく、実装スペースを拡大することなく、装置の内側からでも外部からでも操作することのできるスイッチ等の機能部品を具備する折り畳み式携帯電話機を提供することを目的とする。
【００１２】
更にまた、本発明は、ヒンジ部（開閉機構部）のスペースを有効に利用した、折り畳み式携帯電話機を提供することを目的とする。
【００１３】
【課題を解決するための手段】
本発明は、折り畳み式携帯電話機において、ヒンジ部に着目してこの問題を解決しようとするものである。
【００１４】
即ち、上記の課題を達成するために、本発明によれば、主筐体部と副筐体部とが互いに開閉可能にヒンジ部により結合されてなる折り畳み式携帯電話機において、前記ヒンジ部に機能部品を搭載し、装置の開閉に関係なく、該機能部品を操作可能にしたことを特徴とする、折り畳み式携帯電話機が提供される。
【００１５】
本発明では、ヒンジ部に機能部品を搭載したことにより、装置の開閉に関係なく、該機能部品を操作可能であることは勿論として、部品点数を増加することなく、実装スペースを拡大し、或いはヒンジ部のスペースを有効に利用することができる。
【００１６】
前記機能部品は、ヒンジ軸と同軸に回転可能に搭載されていることを特徴とする。具体的には、ヒンジ部は、主筐体部及び副筐体部のいずれか一方に間隔を置いて同軸に設けられた１対の軸受と、他方に間隔を置いて同軸に設けられ且つ前記軸受にそれぞれ嵌合する１対の軸部材とを具備する１対の軸受機構からなり、前記機能部品は、これらの１対の軸受機構間のスペースに搭載されていることを特徴とする。
【００１７】
前記機能部品は、前記１対の軸受機構間のスペースにて、主筐体部及び副筐体部のいずれか一方に間隔を置いて設けられた１対の軸受部材に回転可能及び／又は軸方向に移動可能に支持されていることを特徴とする。
【００１８】
前記機能部品は、前記１対の軸受部材に少なくとも一定の角度範囲内で回転可能に支持されている回転スイッチであることを特徴とする。
【００１９】
前記機能部品は、回転スイッチ等の電気部品であってもよく、或いは、前記機能部品は、例えば赤外線通信（ＩｒＤＡ）等の通信手段、カメラ、着信ＬＥＤ等の光学部品、スピーカ等の音響部品であってもよい。
【００２０】
【発明の実施の形態】
以下、添付図面を参照して本発明の実施の形態について詳細に説明する。
【００２１】
図１は折り畳み式携帯電話機の概略を示す外観図である。折り畳み式携帯電話機１は、各種ボタン類等の入力操作部や、送話口等が設けられている第１の筐体部（主筐体部）２と、液晶表示部や受話口等を設けられている第２の筐体部（副筐体部）３とが、互いに開閉可能にヒンジ部４により結合され、装置１が開閉可能になっている。
【００２２】
折り畳み式携帯電話機１の使用時は、図１（ａ）に示すように、装置１は開いた状態とされ、送受信作業や通話等が行われる。装置１を開いた時は、主筐体部２と副筐体部３との間は約１６５°程度の開いた通常の開位置で一旦固定されるように、図１には示していないストッパーで規制される。
【００２３】
折り畳み式携帯電話機１の非使用時は、図１（ｂ）、図１（ｃ）に示すように、装置１は閉じた状態とされ、収納に便利な形態とされる。装置１が閉じられた状態では、主筐体部２と副筐体部３との間が約０°程度となる。主筐体部２には、その表裏に表示部が備えられ、装置の開閉状態に応じて利用者が目視する表示部を選択できるようになっている。
【００２４】
ヒンジ部４は１対の軸受機構からなる。即ち、主筐体部２の副筐体部３側の一端に間隔を置いて同軸に設けられた１対の軸受と、副筐体部３の主筐体部２側の一端に間隔を置いて同軸且つ対称的に設けられた１対の軸部材とからなる。そして、これらの１対の軸部材はそれぞれ１対の軸受に回転可能に嵌合される。
【００２５】
ヒンジ部４には、前述のように図１には示していないストッパー機構が設けられている。主筐体部２と副筐体部３との間が、閉じられた状態にある時は、閉じられた状態に維持され、所定の角度に開かれている状態では、その開かれた状態に維持されるように構成されている。
【００２６】
なお、ヒンジ部４を構成する１対の軸受機構は、上述とは逆に、副筐体部３の側に軸受を設け、主筐体部２の側にこれらの軸受に嵌合する軸部材を設けても良い。
【００２７】
ヒンジ部４を構成する１対の軸受機構間にスペースが規定される。本発明の１実施形態では、このスペースに、回転スイッチ５がヒンジ軸と同軸に回転可能に設けられている。この回転スイッチ５は、例えば、１対の軸受機構４間のスペースにて、主筐体部２及び副筐体部３のいずれか一方に間隔を置いて設けられた１対の軸受部材６に少なくとも所定角度の範囲内で回転可能に支持されている。
【００２８】
回転スイッチ５は、主筐体部２と副筐体部３とを開閉可能に結合するヒンジ部４に、ヒンジ軸と同軸に回転可能に設けられているので、装置１を図１（ａ）に示すように開いた状態では、装置１の開いた内側にヒンジ部４と同様に露出した状態にあり、装置１の主筐体部２の内側のボタン、キー類の設けられた操作部と同様に、装置１の内側から操作することができる。
【００２９】
一方、図１（ｂ）、（ｃ）に示すように装置１を閉じて折り畳んだ状態では、回転スイッチ５は装置１の外側にヒンジ部４と同様に露出している。したがって、装置１を折り畳んでいる状態でも、この回転スイッチ５を装置の外側から操作することができる。このように、装置１の開状態であるか閉状態であるかに関係なく、装置１の内側又は外側のいずれからでも同じ回転スイッチ５を操作することができる。
【００３０】
図２は本発明の折り畳み式携帯電話機のヒンジ部を約１８０°開いた状態で示す平面図であり、図３はその側面図である。また、図４はヒンジ部を閉じた状態で示す側面図である。
【００３１】
主筐体部２は、外側にキー側ケース２ａがあり、その内側にキー側マグネシウムシャーシ２ｂがあり、内部にはキー側プリント基板２ｃが内蔵されている。副筐体部３は、液晶ディスプレイ（ＬＣＤ）側ケース３ａがあり、その内側にＬＣＤ側マグネシウムシャーシ３ｂがあり、液晶ディスプレイ（ＬＣＤ）３ｃを具備し、このＬＣＤ３ｃの下側、即ちＬＣＤ３ｃとＬＣＤ側マグネシウムシャーシ３ｂとの間のスペースにはＬＣＤ側プリント基板３ｄが設けられている。
【００３２】
主筐体部２と副筐体部３との間は、ヒンジ部４を超えてフレキシブル・プリント配線板（ＦＰＣ）６０で連結されていて、ＦＰＣ７の一端は主筐体部２のプリント基板２ｃに、他端は副筐体部３のプリント基板３ｄにそれぞれ接続されている。従って、ＦＰＣ６０は装置の開状態であるか閉状態であるかに関係なく、主筐体側と副筐体側との電気的な接続を行っている。
【００３３】
上述のように、ヒンジ部４は間隔を置いて配置された１対の軸受機構からなり、これらの間のスペースに回転スイッチ５がヒンジ軸と同軸に回転可能に設けられている。回転スイッチ５は、例えば、１対の軸受機構４の間のスペース内の両側に配置された１対の軸受６に少なくとも所定の角度範囲で回転可能に取付けられる。このような軸受６は、主筐体部２又は副筐体部３のいずれかのケース２ａ又は３ａに固定することができる。
【００３４】
回転スイッチ５は、ＯＮ／ＯＦＦスイッチ、アナログ・スイッチ等どのような形式のスイッチであってもよく、また、その機構は、例えば回転体の回転により固定側のマイクロスイッチが物理的にＯＮ／ＯＦＦ動作するような構造であってもよく、また回転体の回転を光学的に検出するような構造のものであってもよい。
【００３５】
回転スイッチ５は装置が開いている状態では図３に示すように、その外周の半分程度は装置の内側に露出しており、他の半分程度は筐体の構造体に面している。従って、この状態では回転スイッチ５を内側から操作することができる。一方、装置が閉じている状態では、図４に示すように回転スイッチ５の外周の半分程度は装置の外側に露出している。従って、この状態では回転スイッチ５を装置の外側から操作することができる。
【００３６】
図５〜図８はより具体化した本発明の実施形態に係る折り畳み式携帯電話機を示すもので、図５は開いた状態の外観図、図６はこの実施形態の平面図、図７は図６の線Ａ−Ａにおける断面図、図８は図６の線Ｂ−Ｂにおける拡大断面図である。
【００３７】
これらの図において、主筐体部（キー側）２は、キー側シャーシ２１、キー側リアケース２２、キー側フロントケース２３、キー側ヒンジカバー２４等からなる。内部のキー側プリント基板（図３の２ｃ）は図示を省略してある。副筐体部（ＬＣＤ側）３は、液晶ディスプレイ（ＬＣＤ）側シャーシ３１、ＬＣＤ側リアケース３２、ＬＣＤ側フロントケース３３、ＬＣＤ側ヒンジカバー３４、液晶表示（ＬＣＤ）パネル３５、等からなる。内部のＬＣＤ側プリント基板（図３の３ｄ）は図示を省略してある。
【００３８】
図９は図５に示した実施形態のヒンジ構造を示す斜視図である。キー側シャーシ２１は例えばマグネシンム等の材質でダイキャスト等により製造され、ＬＣＤ側の端部の両端付近には、１対のヒンジピン４１、４１を圧入するための１対の円筒部４２、４２が同軸に且つ軸方向に間隔をおいて一体的に形成されている。一方、ＬＣＤ側シャーシ３１のキー側の端部には、１対の円筒部４２、４２の内側に隣接する円筒部、即ち軸受部４３、４３が同軸に且つ軸方向に間隔をおいて一体的に形成されている。
【００３９】
各ヒンジピン４１は外径の小さい軸部分４１ａと外径の大きい軸部分４１ｂと同軸で且つ一体的に形成されたものであり、キー側シャーシ２１の円筒部４２の外側より各ヒンジピン４１を外径の小さい軸部分４１ａを内側として図９の矢印Ｃの方向にはめこむことで、外径の大きい軸部分４１ｂが円筒部４２の内側に嵌合し、一方、外径の小さい軸部分４１ａはＬＣＤ側シャーシ３１の軸受部４３に回転可能に嵌合する。これにより、キー側シャーシ２１とＬＣＤ側シャーシ３１との間がヒンジにより結合される。
【００４０】
キー側シャーシ２１の主要部分は平坦部でその下側に外壁を構成するキー側リアケース２２はこのシャーシ２１に固定されている。上側の外壁はキー側フロントケース２３により構成されている。ヒンジ部を覆っているキー側ヒンジカバー２４はキー側リアケース２２に固定されている。（なお、フロントケース側に固定されてもよい）同様に、ＬＣＤ側シャーシ３１の主要部分も平坦部でその下側に外壁を構成するＬＣＤ側リアケース３２はこのシャーシ３１に固定されている。上側の外壁はＬＣＤ側フロントケース３３により構成されている。ヒンジ部を覆っているＬＣＤ側ヒンジカバー３４はＬＣＤ側リアケース３２に固定されている。（なお、フロントケース側に固定されてもよい）
図１０は図５に示す実施形態のストッパー構造を示す斜視図である。キー側リアケース３２のＬＣＤ側の端部の両側から、ＬＣＤ側に突出するように１対のストッパー３６、３６が一体的に設けられている。これらのストッパー３６は、ヒンジ部４を中心として装置を開いた時に、ＬＣＤ側リアケース２２のキー側の端部に当接しし、主筐体部２と副筐体部３との間の角度を一定の開状態、例えば主筐体部２と副筐体部との間の内側の角度が１６５°となる位置に維持するように規制する。なお、この実施形態では、１対のストッパー３６、３６をキー側リアケース３２に設けた場合を示したが、逆に、これらの１対のストッパーをＬＣＤ側リアケース２２に設け、装置を開いた時に、これらのストッパーがキー側リアケース３２のキー側の端部に当接するようにしてもよい。また、この実施形態では、ストッパーを１対設けたが、例えばＬＣＤ側又はキー側リアケース３２、２２の端部の中心部に１個のストッパーを設け、装置の開状態の位置を規制するようにしてもよい。
【００４１】
図１１は回転スイッチの回転動作機構を示す。装置のヒンジ部を構成する１対の軸受機構４２、４２間、即ちＬＣＤ側シャーシ３１の１対の軸受部４３、４３間（図９）にはスペースが規定される。このスペースに、回転体５がヒンジ軸と同軸に回転可能に設けられている。この回転体５は、図８に断面図で示すように、中央部に外径の大きな部分５１と、両端部に外径の小さな部分５２、５２を有し、両端部の径の小さな部分５２、５２が軸受６、６に回転可能に支持されている。
【００４２】
一方、キー側シャーシ２２ヒンジ側の端部の中央部で、回転体５に隣接する位置には、回転検出センサ７が固定されている。このセンサ７は、回転体５の回転を検出してスイッチ動作をする。
【００４３】
また、図８の矢印Ｄで示すように、回転体５は回転可能に軸受６、６に支持されていると共に、所定の範囲で軸方向に移動できるようにもなっている。例えば、回転体５が図８において軸方向に右方に移動して、右端がスイッチ８に当接することで、スイッチＯＮ又はＯＦＦの切り換えが行われる。スイッチ８は、タクトスイッチ又はマイクロスイッチ等であって、回転体が当接することで物理的にＯＮ／ＯＦＦを認識できるものであれば、どのようなスイッチでも使用可能である。
【００４４】
キー側フロントケース２３はキー側シャーシ２１に固定されており、１対のヒンジピン４１を挿入するための１対の円筒部４２の周囲を覆っている。一方、ＬＣＤ側ヒンジカバー３４はＬＣＤ側シャーシ３１に固定されており、１対の軸受部４３の周囲を覆っている。これらのフロントケース２３、ヒンジカバー３４はヒンジの軸方向に互いに滑らかに連続している。また、ＬＣＤ側ヒンジカバー３４は、１対の軸受部４３を周囲を覆っていると共に、１対の軸受６、６及びスイッチ８も保持している。すなわち、１対の軸受６、６は挟み込み、圧入、又は両面テープ等によりＬＣＤ側ヒンジカバー３４の内側に固定され保持されている。スイッチ８も同様に、図８において右側の軸受６に隣接してＬＣＤ側フロントケース３３、及びＬＣＤ側ヒンジカバー３４の内側に固定され保持されている。
【００４５】
上述の実施形態では、回転体５が回転可能で且つ軸方向にも移動可能なものとして示したが、例えば、回転方向には回転不能ではあるが、軸方向にのみ所定の範囲で移動可能に構成し、スイッチ本体の軸方向の移動によりスイッチ機能を果たすように構成したものであってもよい。
【００４６】
図８に示すように、キー側フロントケース２３及びキー側ヒンジカバー２４、ＬＣＤ側フロントケース３３及びＬＣＤ側ヒンジカバー３４でヒンジ部をカバーしている部分では、回転体５の外径と同軸で且つ略同一の外径となるように、外観が回転体５と滑らかに連続するようにされている。そして、回転体５の軸方向Ｄの移動範囲は、回転体５自体がＬＣＤ側フロントケース３３及びＬＣＤ側ヒンジカバー３４に当接することで規制される。
【００４７】
図１２は、回転スイッチ５に代えて、電気部品５０を搭載した場合の実施形態を示すものである。回転体５及び回転検出センサ７及びタクトスイッチ８、及び回転体５の回転及びスライド動作機構以外は、前述の実施形態と同様である。電気部品５０としては、赤外線通信（ＩｒＤＡ）等の通信手段としての機能を果たす部品、カメラ、着信ＬＥＤ等の発光又は受光等の光学的な機能を果たす光学部品、スピーカ等の音響機能を果たす部品等を採用することができる。
【００４８】
図１２において、例えば、５２は主筐体部２と副筐体部３との間を電気的に接続するフレキシブルプリント配線板（ＦＰＣ）を示し、５４は主筐体部２と副筐体部３との間を電気的接続と、電気部品５０に対する電気的接続を行うために用いられるフレキシブルプリント配線板（ＦＰＣ）を示す。また、電気部品５０は、ＦＰＣ５４上に形成することも出来る。
【００４９】
いずれの実施形態においても、本発明では、回転スイッチ５又は電気部品５０は、装置の回転中心であるヒンジの位置に搭載されているので、装置を開いている通常の使用状態にある時は、通話中等のように装置の使用中に、ボタン類やキー類の配置されている操作面と同じ装置の内側のヒンジ部の個所に回転スイッチ５又は電気部品５０が露出しているので、回転スイッチ５又は電気部品５０は他のボタン類やキー類の操作と同様の感覚で装置の内側から容易に操作することができる。また装置を閉じていて通常の非使用状態においても、ヒンジ部に設けた回転スイッチ５又は電気部品５０は装置の外側のヒンジ部の個所で外部に露出しているので、通常の非使用状態であっても装置の外側から回転スイッチ５又は電気部品５０のみを直接操作することができる。
【００５０】
このように、本発明においては、回転スイッチ５又は電気部品５０等の機能部品を、装置自体が開状態であるか閉状態であるかに関係なく、操作することができ、操作性や機能性を向上させている。
【００５１】
以上添付図面を参照して本発明の実施形態について説明したが、本発明はこれらの実施形態に限定されるものではなく、本発明の精神ないし範囲内において種々の形態、変形、修正等が可能である。
（付記１）　主筐体部と副筐体部とが互いに開閉可能に接続部により結合されてなる折り畳み式電子機器において、前記接続部に機能部品を搭載し、装置の開状態及び閉状態に関係なく、該機能部品を操作可能にしたことを特徴とする、折り畳み式電子機器。（１）
（付記２）　前記機能部品は、接続部の回転軸と同軸に搭載されていることを特徴とする付記１に記載の折り畳み式電子機器。（２）
（付記３）　接続部は、主筐体部及び副筐体部のいずれか一方に間隔を置いて同軸に設けられた１対の軸受と、他方に間隔を置いて同軸に設けられ且つ前記軸受にそれぞれ嵌合する１対の軸部材とを具備する１対の軸受機構からなり、前記機能部品は、これらの１対の軸受機構間に搭載されていることを特徴とする付記２に記載の折り畳み式電子機器。（３）
（付記４）　１対の軸受は、主筐体部及び副筐体部のいずれか一方のシャーシ部に形成され、１対の軸部材は、主筐体部及び副筐体部の他方のシャーシ部に形成された円筒部に固定された１対のヒンジピンで有り、各ヒンジピンは軸方向に大径部と小径部とが一体的に構成されたもので、大径部が前記円筒部に圧入・固定され、小径部が前記軸受に嵌合することを特徴とする付記３に記載の折り畳み式電子機器。（４）
（付記５）　前記機能部品は、前記１対の軸受機構間にて、主筐体部及び副筐体部のいずれか一方に間隔を置いて設けられた１対の軸受に回転可能に支持されていることを特徴とする付記３に記載の折り畳み式電子機器。（５）
（付記６）　前記機能部品は、前記１対の軸受機構間にて、主筐体部及び副筐体部のいずれか一方に間隔を置いて設けられた１対の軸受に軸方向に移動可能に支持されていることを特徴とする付記３に記載の折り畳み式電子機器。（６）
（付記７）　前記機能部品は、軸方向の中央部に大径部を有し、両端に小径部を有する構造体であって、両端の小径部が前記１対の軸受に嵌合することを特徴とする付記６に記載の折り畳み式電子機器。（７）
（付記８）　前記機能部品は、前記１対の軸受部材に少なくとも一定の角度範囲内で回転可能に支持されている回転スイッチであることを特徴とする付記４に記載の折り畳み式電子機器。（８）
（付記９）　前記機能部品は、前記１対の軸受部材に少なくとも一定の角度範囲内で回転可能に支持されている回転体と、主筐体部及び副筐体部のいずれか一方に該回転体に隣接して固定されている回転検出センサとで構成されていることを特徴とする付記８に記載の折り畳み式電子機器。（９）
（付記１０）　前記機能部品は、前記１対の軸受部材に回転不能に、しかし所定の範囲で軸方向に移動可能に支持されていることを特徴とする付記４に記載の折り畳み式電子機器。（１０）
（付記１１）　前記機能部品は、前記１対の第２の軸受に少なくとも一定の角度範囲内で回転可能に、且つ所定の範囲で軸方向に移動可能に支持されていることを特徴とする付記４に記載の折り畳み式電子機器。（１１）
（付記１２）　前記機能部品は、スイッチ等の電気部品であることを特徴とする付記１〜１０に記載の折り畳み式電子機器。（１２）
（付記１３）　前記機能部品は、通信手段であることを特徴とする付記１〜１０に記載の折り畳み式電子機器。（１３）
（付記１４）　前記機能部品は、光学部品であることを特徴とする付記１〜１０に記載の折り畳み式電子機器。（１４）
（付記１５）　前記機能部品は、音響部品であることを特徴とする付記１〜１０に記載の折り畳み式電子機器。（１５）
【００５２】
【発明の効果】
以上説明したように、本発明の折り畳み式携帯電話機は、ヒンジ部に機能部品を搭載したことにより、装置の開閉に関係なく、操作性を向上可能である。例えば、電子メールの閲覧等を、電子機器の開状態で行うか、閉状態で行うかを電子機器の利用シーンに応じて、自由に選択することが可能となる。また部品点数を増加することなく、実装スペースを拡大し、或いはヒンジ部のスペースを有効に利用することができ、高機能、高密度の折り畳み式携帯電話機を実現することができる。
【図面の簡単な説明】
【図１】本発明の実施形態に係る折り畳み式携帯電話機の概略を示す外観図であり、（ａ）は開いた状態、（ｂ）及び（ｃ）は閉じた状態を示す。
【図２】本発明の折り畳み式携帯電話機のヒンジ部を約１８０°開いた状態で示す平面図である。
【図３】図２と同様ヒンジ部を約１８０°開いた状態の側面図である。
【図４】本発明の折り畳み式携帯電話機のヒンジ部を閉じた状態で示す側面図である。
【図５】本発明の具体化した実施形態に係る折り畳み式携帯電話機を開いた状態で示す外観図である。
【図６】図５に示す実施形態の平面図である。
【図７】図６の線Ａ−Ａにおける断面図である。
【図８】図６の線Ｂ−Ｂにおける拡大断面図である。
【図９】図５に示す実施形態のヒンジ構造を示す斜視図である。
【図１０】図５に示す実施形態のストッパー構造を示す斜視図である。
【図１１】図５に示す実施形態のスイッチの回転動作を示す斜視図である。
【図１２】図５に示す実施形態において電気部品を搭載した場合の概略図である。
【符号の説明】
１…折り畳み式携帯電話機（装置）
２…主筐体部（キー側）
３…副筐体部（ＬＣＤ側）
４…ヒンジ部
５…回転式スイッチ（機能部品）
６…軸受
７…回転検出センサ
８…タクトセンサ
２１…キー側シャーシ
２２…キー側リアケース
２３…キー側フロントケース
２４…キー側ヒンジカバー
３１…ＬＣＤ側シャーシ
３２…ＬＣＤ側リアケース
３３…ＬＣＤ側フロントケース
３４…ＬＣＤ側ヒンジカバー
３６…ストッパー
４１…ヒンジピン
４２…円筒部
４３…軸受部
５０…電気部品
５２…装置ＦＰＣ
５４…装置ＦＰＣ及び電気部品ＦＰＣ
【図１】
2004147279.tif 000003
【図２】
2004147279.tif 000004
【図３】
2004147279.tif 000005
【図４】
2004147279.tif 000006
【図５】
2004147279.tif 000007
【図６】
2004147279.tif 000008
【図７】
2004147279.tif 000009
【図８】
2004147279.tif 000010
【図９】
2004147279.tif 000011
【図１０】
2004147279.tif 000012
【図１１】
2004147279.tif 000013
【図１２】
2004147279.tif 000014